(57)【要約】      （修正有）【課題】負荷回路で高周波干渉が生じた場合、そのような干渉は制御回路へ伝送される可能性がある。高周波干渉の伝送を低減または防止する解決策を提供する。【解決手段】電気絶縁性物質から形成された分離構成要素１０によって、リレー１００の接極子２とスイッチングブリッジキャリア８に配置された、リレー１００のスイッチングブリッジ１８とをガルバニック分離する構成要素群が示されており、分離構成要素１０は、接極子２を挿入するためのレセプタクル１５と、スイッチングブリッジキャリア８を差し込むための接続要素２０とを有する。リレー１００にはばね６０が存在し、ばね６０は、スイッチングブリッジ１８を移動方向に付勢する。スイッチングブリッジ１８は、横方向の突起７１を有し、突起７１は、スイッチングブリッジキャリア８の開口と協働し、ガイド７０を形成する。【選択図】図５
2019160797.tif 000002
【特許請求の範囲】
【請求項１】
電気絶縁性物質から形成された分離構成要素（１０）によって、リレー（１００）の接極子（２）と、スイッチングブリッジキャリア（８）に配置された、前記リレー（１００）のスイッチングブリッジ（１８）とをガルバニック分離する構成要素群（１）であって、
前記分離構成要素（１０）が、前記接極子（２）を挿入するためのレセプタクル（１５）と、前記スイッチングブリッジキャリア（８）を差し込むための接続要素（２０）とを有している、
構成要素群（１）。
【請求項２】
前記分離構成要素（１０）は、前記接極子（２）を差し込むための開口（１６）と、前記開口のためのカバー（１２）とを有している、
請求項１に記載の構成要素群（１）。
【請求項３】
前記カバー（１２）は、受け部（１１）で少なくとも１つの空間方向に形状嵌合で保持されており、前記受け部（１１）には前記レセプタクル（１５）が配置されている、
請求項１または２に記載の構成要素群（１）。
【請求項４】
前記カバー（１２）および前記受け部（１１）は、互いに一体的に構成されている、
請求項１から３のいずれか一項に記載の構成要素群（１）。
【請求項５】
前記カバー（１２）は、前記レセプタクル（１５）の上へ折り畳むことができる、
請求項１から４のいずれか一項に記載の構成要素群（１）。
【請求項６】
前記カバー（１２）は、フィルムヒンジを介して前記分離構成要素（１０）の残り部分に取り付けられている、
請求項１から５のいずれか一項に記載の構成要素群（１）。
【請求項７】
前記接続要素（２０）は、形状嵌合要素（２１）を備えている、
請求項１から６のいずれか一項に記載の構成要素群（１）。
【請求項８】
前記接続要素（２０）は、超音波溶接によって接続されるように構成されている、
請求項１から７のいずれか一項に記載の構成要素群（１）。
【請求項９】
前記接続要素（２０）は、圧入開口（２１）を備えている、
請求項１から８のいずれか一項に記載の構成要素群（１）。
【請求項１０】
前記受け部（１１）および／または前記カバー（１２）は、平板体（９０）として構成されている、
請求項１から９のいずれか一項に記載の構成要素群（１）。
【請求項１１】
前記構成要素群（１）は、前記スイッチングブリッジキャリア（８）を備えている、
請求項１から１０のいずれか一項に記載の構成要素群（１）。
【請求項１２】
前記カバー（１２）は、前記スイッチングブリッジキャリア（８）によって保持されている、
請求項１から１１のいずれか一項に記載の構成要素群（１）。
【請求項１３】
前記スイッチングブリッジキャリア（８）は、相補形の接続要素（３０）を備えている、
請求項１から１２のいずれか一項に記載の構成要素群（１）。
【請求項１４】
前記構成要素群（１）は、前記接極子（２）を備えている、
請求項１から１３のいずれか一項に記載の構成要素群（１）。
【請求項１５】
請求項１から１４のいずれか一項に記載の構成要素群（１）を備えているリレー（１００）。
【発明の詳細な説明】
【技術分野】
【０００１】
本発明は、リレーの接極子と、スイッチングブリッジキャリアに配置されたリレーのスイッチングブリッジとをガルバニック分離する構成要素群に関する。さらに、本発明は、そのような構成要素群を有するリレーに関する。
【背景技術】
【０００２】
リレーは、多くの場合、負荷回路の２つの導電コンタクトを接続するスイッチングブリッジと、制御回路の電磁石によって駆動される接極子とを有する。接極子は、この場合、金属要素を介してスイッチングブリッジに接続される。これらの回路のうちの一方、たとえば負荷回路で高周波干渉が生じた場合、そのような干渉は制御回路へ伝送される可能性がある。
【発明の概要】
【発明が解決しようとする課題】
【０００３】
本発明の課題は、そのような高周波干渉の伝送を低減または防止する解決策を提供することである。
【課題を解決するための手段】
【０００４】
本発明によれば、これは、電気絶縁性物質から形成された分離構成要素によって、リレーの接極子と、スイッチングブリッジキャリアに配置されたリレーのスイッチングブリッジとをガルバニック分離する構成要素群によって解決される。分離構成要素は、接極子を挿入するためのレセプタクルと、スイッチングブリッジキャリアを差し込むための接続要素とを有している。
【０００５】
本発明によるリレーは、本発明による構成要素群を有する。
【０００６】
本発明による解決策は、以下の構成およびさらなる発展形態によってさらに改善することができ、これらの構成およびさらなる発展形態自体が、それぞれ有利であり、所望される場合は互いに組み合わせることができる。
【０００７】
分離構成要素は、レセプタクルを有することができ、レセプタクルへ接極子を横方向に挿入、たとえば押し込むことができる。ここで「横方向」とは、スイッチング方向および／またはリレーでの構成要素群の移動方向を横断する方向を意味する。そのような横方向の配置では、特定の状況で、カバーを省き、それにもかかわらず良好な絶縁効果を得ることが可能になるため、組立てを簡単にすることができる。たとえば、開口とスイッチングブリッジなどの他の導電要素との間の沿面距離を、絶縁効果を実現するのに十分に大きくすることができる。
【０００８】
別法として、分離構成要素は、接極子を差し込むための開口と、開口のためのカバーとを有することができる。そのような構成でも、簡単な組立てを可能にすることができる。差し込みは、たとえば、横方向に押し込むより簡単に行うことができる。カバーは、少なくとも１つのスイッチング方向に接極子を電気絶縁するように構成することができる。
【０００９】
開口は、接極子の形状嵌合要素、たとえばヘッドのための凹部を有することができる。凹部は、絶縁効果を得るために、形状嵌合要素をいくつかの面から取り囲むことができる。このとき、カバーとともに、すべての面の絶縁を確実にすることができる。
【００１０】
開口は、容易な導入を可能にするために、スイッチングブリッジキャリアから離れる方向に延びることができる。
【００１１】
開口およびカバーは、横方向に小型の構成を可能にするために、１つのスイッチング方向、すなわちスイッチングブリッジの移動方向に縦一列に配置することができる。
【００１２】
容易な組立てを可能にするために、カバーは、受け部で少なくとも１つの空間方向に形状嵌合で保持することができ、受け部にはレセプタクルまたは開口が配置されている。特に、カバーは、安全なスイッチングを簡単に可能にするために、スイッチングブリッジの１つの移動方向に形状嵌合で保持することができる。
【００１３】
形状嵌合は、必ずしも他の空間方向で存在する必要はない。たとえば、カバーは、溝およびばねのように形成された案内要素を介して、受け部に取り付け可能とすることができる。このとき、第１の空間方向に溝およびばねを介して形状嵌合を得ることができる。他方では、カバーは、カバーに対して横断方向に容易に押し込むことができる。保持効果を実現するために、カバーは、たとえばさらなる方向に、たとえば締め付けを介して、圧力嵌めで保持することができる。
【００１４】
掛止要素を介して、形状嵌合を得ることができる。そのような掛止要素は、締結ステップ中に撓ませることができ、締結ステップで、カバーは分離構成要素の残り部分に締結され、最終状態でのみ掛止し、形状嵌合を生成する。
【００１５】
有利な構成では、カバーを開口の上へ折り畳むことができる。その結果、折畳み動作を介して容易な組立てが可能になる。
【００１６】
カバーおよび受け部は、互いに一体的に構成することができる。このとき、カバーのための送出機械を省くことが可能になるため、形成をより容易にすることができる。
【００１７】
有利な構成では、カバーは、フィルムヒンジを介して分離構成要素の残り部分に取り付けることができる。たとえば、カバーは、フィルムヒンジを介して受け部に取り付けることができる。フィルムヒンジには、一体構成という利点があり、同時にこれら２つの互いに対する動き、特に折畳み動作が可能になる。
【００１８】
代替の構成では、カバーおよび分離構成要素の残り部分は、別個の要素とすることができる。これにはたとえば、それぞれの機能に適合された異なる材料を使用することが可能になるという利点がある。
【００１９】
接続の確実な製造のために、接続要素は、形状嵌合要素を備えることができる。これらは特に、１つのスイッチング方向における形状嵌合を可能にすることができる。形状嵌合要素は、対応する嵌合要素と協働する切込み、空洞、および／または突起を備えることができる。
【００２０】
形成を簡単に保つために、接続要素は、超音波溶接によって接続されるように構成することができる。たとえば、接続要素は、粗面または摩擦要素を有することができ、粗面または摩擦要素は、超音波溶接プロセス中に摩擦、したがって熱を生成し、溶接をもたらす。
【００２１】
圧入によって接続の簡単な製造を可能にするために、接続要素は、圧入開口を備えることができる。これらは、圧入状態で対応する嵌合要素との圧力嵌め接続を生成するように寸法設定することができる。
【００２２】
構成要素群は、スイッチングブリッジキャリアを備えることができる。
【００２３】
有利な構成では、カバーは、スイッチングブリッジキャリアによって保持することができる。そのような構成では、分離構成要素の残り部分でカバーを保持するさらなる要素を省くことが可能である。このタスクは、スイッチングブリッジキャリアによって行うことができる。スイッチングブリッジキャリアは、連続接続を有するように、受け部で保持することができる。カバーは、受け部とスイッチングブリッジキャリアとの間に配置することができ、たとえばこれら２つの間に締め付けることができる。
【００２４】
別法または追加として、スイッチングブリッジキャリアは、カバーで保持することができる。カバーは、次に、連続する圧力嵌めを保証するために、受け部で保持することができる。
【００２５】
スイッチングブリッジキャリアは、分離構成要素の接続要素に相補形の接続要素を備えることができる。これらは、突起または開口などの形状嵌合要素とすることができる。別法または追加として、圧入要素が存在することができる。接続要素はそれぞれ、確実な締結を可能にするために、切込みを備えることができる。その場合、分離構成要素は、圧入要素に対して十分なオーバーカットを有するチャンバを有する。圧入要素は、十分な保持力を生成するために、キノコ状またはクリスマスツリー状の構造を有することができる。スイッチングブリッジキャリアで超音波振動を開始することによって、わずかな程度の力でキャリアおよび分離構成要素を接合することができ、圧入要素はチャンバへ事前に押し込まれる。
【００２６】
スイッチング方向に小型の構成を可能にするために、受け部および／またはカバーは、平板体として構成することができる。平板体は、実質上２次元に延びることができ、第３の次元の範囲は、他の次元より特有の係数だけ、たとえば３分の１小さくすることができる。
【００２７】
構成要素群は、接極子を備えることができる。
【００２８】
リレーは、電磁石を備えることができる。接極子は、スイッチング動作を生成するために、電磁石と相互作用することができる。
【００２９】
リレーは、スイッチングブリッジをさらに備えることができる。ブリッジは、負荷回路を開閉することができる導電要素を有することができる。スイッチングブリッジは、この目的で、２つの接触部分を有することができ、これらの接触部分は、負荷回路の対応する嵌合接触部分に接触するように構成される。
【００３０】
リレーは、スイッチングブリッジを弾性的に支承する働きをするばねをさらに備えることができる。ばねは、スイッチング方向に沿ってスイッチングブリッジを付勢することができ、スイッチングブリッジを止め具に押し付けることができる。
【００３１】
スイッチングブリッジは、ガイド内でスイッチングブリッジキャリアに取り付けることができる。ガイドは、たとえば、開口を備えることができ、これらの開口へスイッチングブリッジの横方向の突起が突出する。
【００３２】
本発明について、図面を参照して有利な構成に基づいて例として以下でより詳細に説明する。この例で示す有利なさらなる発展形態および構成は、それぞれ互いに独立しており、特有の応用例でそれがどのように必要であるかに応じて、互いに自由に組み合わせることができる。
【図面の簡単な説明】
【００３３】
【図１】第１の実施形態の概略斜視図であり、接極子を挿入する前の構成要素群を示す図である。
【図２】接極子が挿入された状態の、図１に示した構成要素群の概略斜視図である。
【図３】図１に示した構成要素群の概略斜視図であり、スイッチングブリッジキャリアを取り付ける最中の状態を示す図である。
【図４】スイッチングブリッジキャリアが取り付けられた状態の、図１に示した構成要素群の概略斜視図である。
【図５】図１に示した構成要素群を有するリレーの概略部分断面斜視図である。
【図６】図１に示した分離構成要素を有するリレーの概略部分断面斜視図である。
【図７−１】図７Ａ〜図７Ｃは、図１による構成要素群の様々な概略図である。
【図７−２】図７Ｄおよび図７Ｅは、図１による構成要素群の様々な概略図である。
【図８−１】図８Ａ〜図８Ｃは、構成要素群のさらなる実施形態の様々な概略図である。
【図８−２】図８Ｄおよび図８Ｅは、構成要素群のさらなる実施形態の様々な概略図である。
【図９】図８Ａ〜図８Ｅからのさらなる実施形態の概略斜視図である。
【発明を実施するための形態】
【００３４】
図１〜図７Ｅ（図７−２）は、リレー１００のための構成要素群１の第１の実施形態を示す。構成要素群１は、接極子２をスイッチングブリッジ１８から電気的に絶縁する働きをする。スイッチングブリッジ１８は、導電性材料からなり、負荷回路を閉じるために使用される。この目的で、スイッチングブリッジ１８は、２つの接触部分８０を有し、これらの接触部分８０は、相手接触部分８１に接触することができる。
【００３５】
接極子２は、制御回路の電磁石５０に動作可能に接続され、電磁石５０によって１つのスイッチング方向４０に動かされる。このときスイッチング方向４０は、接極子の１つの移動方向４１であり、その結果、異なる電流が電磁石５０へ流れる。
【００３６】
従来のシステムには、スイッチングブリッジ１８および接極子２が互いに導電接続されたものもある。これは、高周波干渉がたとえば負荷回路から制御回路へまたはその逆に伝送される可能性があるため不都合である。
【００３７】
本構成要素群１では、分離構成要素１０が、接極子２をスイッチングブリッジ１８およびスイッチングブリッジキャリア８から電気絶縁、したがってガルバニック分離する働きをする。
【００３８】
分離構成要素１０は、たとえばプラスチックなどの電気絶縁材料からなる。接極子２のためのレセプタクル１５が、受け部１１に存在する。図示の例では、レセプタクル１５は開口１６であり、移動方向４０とは逆に差し込むことによって、接極子２を開口１６へ挿入することができる。開口１６は凹部１７を有し、凹部１７は、接極子２のヘッド２７とともに、移動方向４０とは反対方向に形状嵌合を生成する。
【００３９】
接極子２が完全に挿入された後、カバー１２でヘッド２７を覆うことができ、したがってヘッド２７の領域で接極子２のほぼ完全な絶縁を実現することができる。
【００４０】
図示の実施形態では、受け部１１およびカバー１２は、２つの別個の要素であり、したがってこれらの要素は、異なる材料、したがって異なる特性を有することができる。図示しない構成では、受け部１１およびカバー１２を互いに一体にすることができる。たとえば、受け部１１およびカバー１２は、フィルムヒンジを介して互いに接続することができ、その結果、受け部１１上のカバー１２を簡単に開くことができる。
【００４１】
図２に示すように、カバー１２の取り付け後、スイッチングブリッジキャリア８は、分離構成要素１０、特に受け部１１に接続される。この目的で、受け部１１およびスイッチングブリッジキャリア８は、それぞれ接続要素２０、３０を有する。図示の第１の例示的な実施形態で、接続要素２０、３０は、超音波溶接プロセスによりこれらのうちの２つを互いに接続することができるように構成される。圧入要素３２として構成されたスイッチングブリッジキャリア８の接続要素３０は、圧入開口２２として構成された受け部１１の接続要素２０へ圧入される。保持効果を得るために、スイッチングブリッジキャリア８の接続要素３０は、切込み３３を有し、したがってキノコ構造３４を形成する。差し込みを実施した後、２つの接続要素２０、３０は、それぞれの場合、超音波によって加熱することができ、その結果、それらの接続を改善することができる。
【００４２】
カバー１２は、スイッチングブリッジキャリア８によって受け部１１で保持される。代替の構成では、カバー１２と受け部１１との間に別のタイプの接続が存在することもできる。たとえば、カバー１２は、受け部１１に形状嵌合で、移動方向またはその反対方向に保持することができる。
【００４３】
移動方向４０に小型の構成を得るために、受け部１１およびカバー１２は、移動方向４１を横断して、第１の横断方向４２および第２の横断方向４７に延びる平板体９０として構成される。
【００４４】
図５および図６は、開状態または閉状態で分離構成要素１０を有するリレー１００を示す。加えて、図５でカバー１２を取り外して、レセプタクル１７および接極子２を見ることができるようにしている。ここで、リレー１００はまた、特にハウジング１１０を備える。
【００４５】
開口１６は、スイッチングブリッジキャリア８から離れる方向に延びる。図示しない代替の構成では、開口１６またはレセプタクル１５は、第１の横断方向４２または第２の横断方向４７の方へ開くこともでき、したがって横方向に、すなわち移動方向４１を横断して、接極子２を挿入することができる。
【００４６】
さらに、リレー１００にはばね６０が存在し、ばね６０は、スイッチングブリッジ１８を移動方向４１に付勢する。スイッチングブリッジ１８は、横方向の突起７１を有し、突起７１は、スイッチングブリッジキャリア８の開口７２と協働し、その結果、ガイド７０を形成する。動きを制限するために、スイッチングブリッジキャリア８には、突起７１と協働する止め具７４が存在する。
【００４７】
図８Ａ〜図９は、構成要素群１０の第２の実施形態を示す。図１〜図７Ｅによる構成とは対照的に、ここではスイッチングブリッジキャリア８は、形状嵌合要素２１、３１の形態である接続要素２０、３０を介して取り付けられている。接続要素２０、３０はそれぞれ、容易に到達することを可能にするために、外面に配置される。形状嵌合要素２１、３１は、突起および突起のための開口を備え、特に移動方向４１に沿って形状嵌合を確実にする。
【符号の説明】
【００４８】
１  構成要素群
２  接極子
８  スイッチングブリッジキャリア
１０  分離構成要素
１１  受け部
１２  カバー
１５  レセプタクル
１６  開口
１７  凹部
１８  スイッチングブリッジ
２０  接続要素
２１  形状嵌合要素
２２  圧入開口
２７  ヘッド
３０  接続要素
３１  形状嵌合要素
３２  圧入要素
３３  切込み
３４  キノコ構造
３８  フィルムヒンジ
４０  スイッチング方向
４１  移動方向
４２  第１の横断方向
４４  空間方向
４７  第２の横断方向
５０  電磁石
６０  ばね
７０  ガイド
７１  突起
７２  開口
７４  止め具
８０  接触部分
８１  相手接触部分
９０  平板体
１００  リレー
１１０  ハウジング
【図１】
2019160797.tif 000003
【図２】
2019160797.tif 000004
【図３】
2019160797.tif 000005
【図４】
2019160797.tif 000006
【図５】
2019160797.tif 000007
【図６】
2019160797.tif 000008
【図７−１】
2019160797.tif 000009
【図７−２】
2019160797.tif 000010
【図８−１】
2019160797.tif 000011
【図８−２】
2019160797.tif 000012
【図９】
2019160797.tif 000013
【外国語明細書】
2019160797000001.pdf